(57)【要約】【課題】圃場内の環境管理を容易にし、収量を最大化する。【解決手段】温度センサは、圃場内の農作物の成長に併せて高さが変わる農作物の成長点周辺の温度を計測する。情報処理装置は、前記温度センサが計測した温度情報を受信し、前記圃場内の環境情報を表示装置に表示させる。【選択図】図３
2019149965.tif 000002
【特許請求の範囲】
【請求項１】
圃場内の農作物の成長に併せて高さが変わる前記農作物の成長点周辺の温度を計測する温度センサと、
前記温度センサが計測した温度情報を受信し、前記圃場内の環境情報を表示装置に表示させる情報処理装置と、を備える
ことを特徴とする成長点温度監視システム。
【請求項２】
前記環境情報は、前記温度センサで計測された前記農作物の成長点周辺における積算温度情報、温度ムラ情報、又は、成長点周辺の温度が所定温度内に収まっているか否かを示す情報である
ことを特徴とする請求項１に記載の成長点温度監視システム。
【請求項３】
前記温度センサの圃場内位置を前記温度センサと対応付けて設定することで、
前記情報処理装置は、前記圃場内における前記温度センサの位置を３次元で表示し、且つ、前記環境情報を前記温度センサの圃場内位置と対応付けて表示する、
ことを特徴とする請求項１に記載の成長点温度監視システム。
【請求項４】
圃場内の農作物の成長に併せて高さが変わる前記農作物の成長点周辺の温度を計測する温度センサから温度情報を受信し、
前記圃場内の環境情報を表示装置に表示させる、
ことを特徴とする成長点温度監視方法。
【請求項５】
前記環境情報は、前記温度センサで計測された前記農作物の成長点周辺における積算温度情報、温度ムラ情報、又は、成長点周辺の温度が所定温度内に収まっているか否かを示す情報である
ことを特徴とする請求項４に記載の成長点温度監視方法。
【請求項６】
前記温度センサの圃場内位置を前記温度センサと対応付けて設定することで、
前記圃場内における前記温度センサの位置を３次元で表示し、且つ、前記環境情報を前記温度センサの圃場内位置と対応付けて表示する、
ことを特徴とする請求項４に記載の成長点温度監視方法。
【請求項７】
圃場内の農作物の成長に併せて高さが変わる前記農作物の成長点周辺の温度を計測する温度センサから温度情報を受信し、
前記圃場内の環境情報を表示装置に表示させる、
ことを特徴とする成長点温度監視プログラム。
【請求項８】
前記環境情報は、前記温度センサで計測された前記農作物の成長点周辺における積算温度情報、温度ムラ情報、又は、成長点周辺の温度が所定温度内に収まっているか否かを示す情報である
ことを特徴とする請求項７に記載の成長点温度監視プログラム。
【請求項９】
前記温度センサの圃場内位置を前記温度センサと対応付けて設定することで、
前記圃場内における前記温度センサの位置を３次元で表示し、且つ、前記環境情報を前記温度センサの圃場内位置と対応付けて表示する、
ことを特徴とする請求項７に記載の成長点温度監視プログラム。
【請求項１０】
圃場内の農作物の成長に併せて高さが変わる前記農作物の成長点周辺の温度を計測する温度センサから温度情報を受信する受信部と、
前記温度情報に基づいて環境情報を生成する生成部と、
前記環境情報を表示装置に表示させる表示制御部と、を備える
ことを特徴とする情報処理装置。
【請求項１１】
前記環境情報は、前記温度センサで計測された前記農作物の成長点周辺における積算温度情報、温度ムラ情報、又は、成長点周辺の温度が所定温度内に収まっているか否かを示す情報である
ことを特徴とする請求項１０に記載の情報処理装置。
【請求項１２】
前記温度センサの圃場内位置を前記温度センサと対応付けて設定することで、
前記表示制御部は、前記圃場内における前記温度センサの位置を３次元で表示し、且つ、前記環境情報を前記温度センサの圃場内位置と対応付けて表示する、
ことを特徴とする請求項１０に記載の情報処理装置。
【発明の詳細な説明】
【技術分野】
【０００１】
本発明は、圃場の管理方法に関する。
【背景技術】
【０００２】
近年、農作物の栽培の効率化を図るために、圃場の状態を観測するセンシング技術について、様々な研究開発がすすめられている。
圃場情報取得装置は、圃場に関する情報である圃場情報を蓄積する圃場サーバに対して通信ネットワークを介して接続される。圃場情報取得装置は、風に関する情報、大気に関する情報、土壌に関する情報等の圃場情報を検出する湿温度センサ、生体電位センサ、ＥＣセンサ、照度センサ等のセンサと、センサが検出した圃場情報を圃場サーバに送信する通信部を備える。このような、センサからの情報をより有効的に活用する圃場情報取得装置及び圃場サーバを提供する技術が知られている（例えば、特許文献１を参照）。
【先行技術文献】
【特許文献】
【０００３】
【特許文献１】特開２００９−２３２７７７号公報
【発明の概要】
【発明が解決しようとする課題】
【０００４】
圃場の大規模化に伴い、圃場内の環境をコントロールする難易度が高くなっている。又、同一の圃場でも区画によって、日当たりや湿度などの環境が異なる。そのため、同一の圃場でも区画によって収量が異なるという課題が出てきた。
【０００５】
本発明は１つの側面において、圃場内の環境管理を容易にし、収量を最大化することを目的とする。
【課題を解決するための手段】
【０００６】
温度センサは、圃場内の農作物の成長に併せて高さが変わる農作物の成長点周辺の温度を計測する。情報処理装置は、前記温度センサが計測した温度情報を受信し、前記圃場内の環境情報を表示装置に表示させる。
【発明の効果】
【０００７】
本発明によれば、圃場内の環境管理を容易にし、収量を最大化することができる。
【図面の簡単な説明】
【０００８】
【図１】区画毎の収量の例を説明する図である。
【図２】本実施形態に係るビニールハウス内の例を説明する図である。
【図３】本実施形態に係る成長点温度監視システムの例を説明する図である。
【図４】本実施形態に係る情報処理装置の処理の例を説明するブロック図である。
【図５】本実施形態に係る情報処理装置のハードウェア構成の例を説明する図である。
【図６】表示装置に表示するビニールハウス内における環境情報の表示例を説明する図である。
【図７】同じビニールハウス内の複数の温度センサが計測した温度の温度ムラを見える化した表示の例（その１）である。
【図８】同じビニールハウス内の複数の温度センサが計測した温度の温度ムラを見える化した表示の例（その２）である。
【図９】同じビニールハウス内の複数の温度センサが計測した温度が適正温度の範囲内であるか否かを見える化した表示の例（その１）である。
【図１０】同じビニールハウス内の複数の温度センサが計測した温度が適正温度の範囲内であるか否かを見える化した表示の例（その２）である。
【図１１】同じビニールハウス内の複数の温度センサが計測した温度の積算温度の表示例を説明する図である。
【図１２】本実施形態に係る情報処理装置の処理の例を説明するフローチャートである。
【発明を実施するための形態】
【０００９】
以下、本実施形態について、図面を参照しながら詳細に説明する。
図１は、区画毎の収量の例を説明する図である。現状の事例１００では、区画Ａ〜区画Ｄにおける各圃場の収量の例を示している。区画Ａ〜区画Ｄの各区画の圃場には、同一の規格及びサイズのビニールハウスを設置するものとする。例えば、区画Ａの収量は、１０アール（a）あたり４０トン（ｔ）である。区画Ｂの収量は、１０ａあたり３５ｔである。区画Ｃの収量は、１０ａあたり３０ｔである。区画Ｄの収量は、１０ａあたり３０ｔである。このように、現状の事例１００は、各区画の収量が均一ではない。区画Ａの１０ａあたり４０ｔが１区画における収量の最大量である場合、区画Ｂ〜区画Ｄの圃場は、収量が最大化できておらず、収量を増やす余地がある状態である。このように、収量が最大化できていない区画ができるのは、圃場が大規模化に伴い圃場内の環境をコントロールする難易度が高くなっているためである。又、同一の規格やサイズのビニールハウスであっても、区画の位置が異なるため、日当たりや湿度などの環境が異なるためである。
【００１０】
圃場内の環境をコントロールするために、大規模圃場を所有する法人の経営者や環境管理をする管理者は、ビニールハウス内の温度管理をする。ビニールハウス内の温度管理をする場合、温度センサは、例えば、ビニールハウスの天井付近や、ビニールハウス内の側面部分などに設置される。ビニールハウスの天井付近や、ビニールハウス内の側面部分などに温度センサを設置した環境では、ビニールハウス全体の温度管理を行うことができるものの、実際の農作物の周辺温度は計測されないため、かかる温度センサによって農作物の周辺を成長に最適な温度に管理することは難しい。
【００１１】
これに対し、本実施形態に係るシステムでは、温度センサを圃場内の農作物の成長に併せて高さが変わる農作物の成長点周辺に設置する。成長点は、農作物における新しく細胞をつくる分裂組織がある点であり、農作物の茎の先端部に存在する。経営者や環境管理をする管理者は、本実施形態に係るシステムを利用することで、計測した温度に基づいてビニールハウス内の温度を制御することで、農作物の周辺を成長に最適な温度に設定することができる。そのため、図１の本実施形態に係るシステムを導入した圃場の例１１０の区画Ａ〜区画Ｄでは、農作物の周辺を成長に最適な温度に設定可能なことから、全区画で１０ａあたり４０ｔの収量（最大例）を見込むことができる。本実施形態に係るシステムは、区画の位置が異なっていても、各区画の農作物周辺の環境をコントロールし、収量を最大化することができる。
【００１２】
図２は、本実施形態に係るビニールハウス内の例を説明する図である。各区画の収量を最大化する具体的な手法として、本実施形態に係るシステムは、圃場内の農作物の成長に併せて高さが変わる農作物の成長点周辺の温度を監視する。
【００１３】
図２のビニールハウス２００内には、農作物２１０ａ〜農作物２１０ｄが植えられている。成長点２２０ａは、農作物２１０ａの成長点であり、農作物の茎の先端部に存在する。成長点２２０ｂは、農作物２１０ｂの成長点であり、農作物の茎の先端部に存在する。成長点２２０ｃは、農作物２１０ｃの成長点であり、農作物の茎の先端部に存在する。成長点２２０ｄは、農作物２１０ｄの成長点であり、農作物の茎の先端部に存在する。
【００１４】
大規模圃場の環境管理をする管理者は、各農作物２１０ａ〜農作物２１０ｄの成長点２２０ａ〜２２０ｄの上方に温度センサ３００ａ〜３００ｄを設置する。成長点２２０ａ〜２２０ｄの高さは、農作物の成長に併せて変化する。そのため、温度センサ３００ａ〜３００ｄは、農作物の成長に併せて高さを変更可能なように設置する。例えば、図２の温度センサ３００ａ〜３００ｄは、ビニールハウス２００内のフレームに紐３１０ａ〜３１０ｄで吊るして設置されている。温度センサ３００が設置されていない側の紐３１０を引っ張る又は緩めることで、管理者は、温度センサ３００の高さを調整することができる。なお、温度センサ３００と一緒にカメラなどを設置し、成長点２２０ａ〜２２０ｄの成長に併せて自動的に温度センサ３００の位置を調整するシステムを設けてもよい。
【００１５】
なお、図２の例では、全ての農作物に温度センサを設置しているものの、複数の農作物群の中から１つの農作物を代表して選択し、温度センサを設置してもよい。しかし、ビニールハウス２００内で農作物の成長点の上方（周辺）に設置する温度センサの数が多いほど、精度よく農作物の周辺の温度を取得できる。
【００１６】
このように、農作物の成長点の上方（周辺）に温度センサを設置して監視することで、管理者は、農作物の周辺の温度が成長に最適な温度になるようにビニールハウス２００内の環境を制御することで、区画（ビニールハウス）の収量を最大化することができる。
【００１７】
図３は、本実施形態に係る成長点温度監視システムの例を説明する図である。成長点温度監視システム４００は、ビニールハウス２００、温度センサ３００、情報処理装置６００、表示装置５００を含む。ビニールハウス２００と温度センサ３００（３００ａ〜３００ｄの内の１つを例示）は、図２のものと同一のものである。
【００１８】
温度センサ３００が計測した温度情報は、温度センサ３００を識別する識別情報と対応付けて、情報処理装置６００にネットワークを介して送信される。情報処理装置６００は、温度情報を受信すると、情報処理装置６００は、温度情報を、温度センサ３００を識別する識別情報、計測時刻を示す時刻情報と対応付けてメモリに蓄積する。情報処理装置６００は、温度情報、識別情報、時刻情報に基づいて環境情報を生成する。環境情報は、ビニールハウス２００内から収集した温度情報を、大規模圃場を所有する法人の経営者や環境管理をする管理者などに見やすくするために生成される情報である。
【００１９】
表示装置５００は、情報処理装置６００で生成された環境情報を表示する。表示装置５００に表示される環境情報は、例えば、同じビニールハウス２００内における複数の温度センサの差分が明確に見える化した情報である。具体的には、表示装置５００は、複数の温度センサ３００の温度を見える化した画面（図７及び図８で後述）、複数の温度センサ３００の積算温度を見える化した画面（図１１で後述）、温度が農作物の成長の適正範囲に収まっているかどうかを見える化した画面（図９及び図１０で後述）を表示する。そのため、経営者や管理者は、複数の温度センサ３００の差分が明確に見える化した情報を確認することで、どの温度センサ３００の周辺温度を調整すればよいかが明確となり、農作物の成長点周辺の温度が成長に適した温度になるように調整することができるようになる。
【００２０】
又、表示装置５００に表示される環境情報は、例えば、経営者や管理者などに改善案を出しやすい情報を見える化した情報である。具体的には、表示装置５００は、分単位での機器稼動状況、分単位での温度ムラの推移、分単位での温度が農作物の成長の適正値なのかどうかの推移、積算温度が平均値とどの程度離れているかなどを見える化した画面（図６で後述）を表示する。改善案を出しやすい情報では、経営者や管理者は、ビニールハウス２００内に設置されている機器（例えば、冷房機、暖房機、除湿機など）などの稼動がどのように農作物周辺の温度変化に影響を与えているかを分単位の変化で確認することができる。そのため、経営者や管理者は、改善案を出しやすい環境情報を確認し、農作物の成長点周辺の温度が成長に適した温度になるように、ビニールハウス２００内の温度を調整することができるようになる。経営者や管理者は、農作物の成長点周辺の温度が成長に適した温度になるようにビニールハウス２００内の温度を調整することで、収量を最大化することができる。
【００２１】
図４は、本実施形態に係る情報処理装置の処理の例を説明するブロック図である。情報処理装置６００は、受信部６１０、記憶部６２０、生成部６３０、表示制御部６４０を備える。
【００２２】
受信部６１０は、ビニールハウス２００の温度センサ３００で計測された温度情報を受信する。記憶部６２０は、温度情報を、温度センサ３００を識別する識別情報及び時刻情報と対応付けて記憶する。生成部６３０は、温度情報、識別情報及び時刻情報に基づいて環境情報を生成する。表示制御部６４０は、表示装置５００に環境情報を送信し、環境情報を含む画面を表示装置５００に表示させる。
【００２３】
表示装置５００は、環境情報として、同じビニールハウス２００内の複数の温度センサにおける差分が明確に見える化した情報と経営者や管理者などに改善案を出しやすい情報を見える化した情報とを表示する。経営者や管理者は、環境情報を確認し、農作物の成長点周辺の温度が成長に適した温度になるように、ビニールハウス２００内の温度を調整することができるようになる。そのため、本実施形態に係る成長点温度監視システム４００を導入することにより、圃場内の環境管理を容易にし、収量を最大化することができる。
【００２４】
図５は、本実施形態に係る情報処理装置のハードウェア構成の例を説明する図である。情報処理装置６００は、プロセッサ１１、メモリ１２、バス１５、外部記憶装置１６、ネットワーク接続装置１９を備える。さらにオプションとして、情報処理装置６００は、入力装置１３、出力装置１４、媒体駆動装置１７を備えても良い。情報処理装置６００は、例えば、コンピュータなどで実現されることがある。
【００２５】
プロセッサ１１は、Ｃｅｎｔｒａｌ  Ｐｒｏｃｅｓｓｉｎｇ  Ｕｎｉｔ（ＣＰＵ）を含む任意の処理回路とすることができる。なお、プロセッサ１１は、例えば、外部記憶装置１６に記憶されたプログラムを実行することで、生成部６３０の機能を実現する。メモリ１２は、記憶部６２０として動作し、温度情報、識別情報、時刻情報、環境情報などのデータを記憶する。さらに、メモリ１２は、プロセッサ１１の動作により得られたデータや、プロセッサ１１の処理に用いられるデータも、適宜、記憶する。ネットワーク接続装置１９は、他の装置との通信に使用され、受信部６１０、表示制御部６４０として動作し、他の装置や移動通信端末との通信に使用される。
【００２６】
入力装置１３は、例えば、ボタン、キーボード、マウス等として実現され、出力装置１４は、ディスプレイなどとして実現される。バス１５は、プロセッサ１１、メモリ１２、入力装置１３、出力装置１４、外部記憶装置１６、媒体駆動装置１７、ネットワーク接続装置１９の間を相互にデータの受け渡しが行えるように接続する。外部記憶装置１６は、プログラムやデータなどを格納し、格納している情報を、適宜、プロセッサ１１などに提供する。媒体駆動装置１７は、メモリ１２や外部記憶装置１６のデータを可搬記憶媒体１８に出力することができ、また、可搬記憶媒体１８からプログラムやデータ等を読み出すことができる。ここで、可搬記憶媒体１８は、フロッピイディスク、Ｍａｇｎｅｔ−Ｏｐｔｉｃａｌ（ＭＯ）ディスク、Ｃｏｍｐａｃｔ  Ｄｉｓｋ  Ｒｅｃｏｒｄａｂｌｅ（ＣＤ−Ｒ）やＤｉｇｉｔａｌ  Ｖｅｒｓａｔｉｌｅ  Ｄｉｓｋ  Ｒｅｃｏｒｄａｂｌｅ（ＤＶＤ−Ｒ）を含む、持ち運びが可能な任意の記憶媒体とすることができる。
【００２７】
図６は、表示装置に表示するビニールハウス内における環境情報の表示例を説明する図である。図６の例は、表示装置５００に表示される経営者や管理者などに改善案を出しやすい情報を見える化した環境情報である。具体的には、表示装置５００は、分単位での機器稼動状況、分単位での温度ムラの推移、分単位での温度が農作物の成長の適正値なのかどうかの推移、積算温度が平均値とどの程度離れているかなどを見える化した画面を表示する。
【００２８】
図６の表示画面では、ビニールハウス２００が３次元グラフで表示されている。このビニールハウス２００の３次元グラフは、表示装置５００のユーザによるマウス操作により任意の方向に表示方向を変更することができる。３次元グラフ上には、ビニールハウス２００内に設置されている機器（例えば、冷房機、暖房機、除湿機など）などの稼動状況が分かるアイコン５１０が表示されている。アイコン５１０は、稼動状況を色で表してもよい。アイコン５１０は、ビニールハウス２００内での実際の機器の位置に対応した３次元グラフの位置に表示される。機器のアイコン５１０の位置は、ユーザが予め設定するものとする。
【００２９】
又、図６の表示画面では、３次元グラフ上に、成長点ポイント（点線）が表示されている。この成長点ポイントは、３次元グラフ上でユーザが任意に高さを設定することができる。成長点ポイントの高さが設定されると、表示装置５００は、成長点ポイント上に温度センサ３００ａ〜３００ｄで計測された温度情報に基づいて生成された環境情報を表示する。図６の表示画面では、環境情報を温度ムラ、温度の適正範囲、積算温度の３種類で表す。
【００３０】
環境情報における温度ムラは、円の大きさと色で表される。表示装置５００は、温度ムラが農作物の成長の適温から大きいほど温度ムラを表す円を大きく表し、且つ、円を赤色で表す。図６の例において表示装置５００は、温度センサ３００ａで計測された温度が適温よりも高いため、温度ムラが大きいことを表す大きい円で、且つ、高温を表す赤色の円を表示する。表示装置５００は、温度センサ３００ｂで計測された温度が適温から中程度大きいため、温度ムラが中程度を表すサイズの円（温度センサ３００ａの円よりも小さい円）で、且つ、中高温を表すオレンジ色の円を表示する。表示装置５００は、温度センサ３００ｃで計測された温度が適温であるため、適温であることを表すサイズの円（温度センサ３００ａ及び３００ｂの円よりも小さい円）で、且つ、適温を表す緑色の円を表示する。表示装置５００は、温度センサ３００ｃで計測された温度が適温よりも小さいため、温度ムラがマイナスであることを表すサイズの円（温度センサ３００ｃの円よりも小さい円）で、且つ、適温を表す緑色の円を表示する。なお、適正温度は、温度センサ３００ａ〜３００ｄ毎にユーザが任意に設定することができる。又、円の赤色、オレンジ色、緑色を表示する際の適温からの逸脱温度の閾値は、ユーザが任意に変更可能とする。
【００３１】
温度センサ３００が計測した温度が適正範囲であるか否かは、色のついた矢印、矢印の方向、適正温度表示、及び適正温度からの逸脱温度などの情報で表される。表示装置５００は、計測した温度が適正温度から大きく逸脱している（逸脱温度が大きい）場合は矢印を赤色で示し、適正温度からの逸脱温度が小さい場合は矢印をオレンジ色で示し、適正温度の範囲内である場合は矢印を表示しない。図６の例において表示装置５００は、温度センサ３００ａにおける環境情報として、適正温度が２５．５℃であること、適正温度から＋１．１℃逸脱していること、計測した温度が適正温度から大きく逸脱しているため赤色でプラスを表す上方向の矢印を表示する。表示装置５００は、温度センサ３００ｂにおける環境情報として、適正温度が２２℃であること、適正温度から＋０．６℃逸脱していること、計測した温度が適正温度から中程度逸脱しているためオレンジ色でプラスを表す上方向の矢印を表示する。表示装置５００は、温度センサ３００ｃにおける環境情報として、計測した温度が適正範囲内であるため、矢印、適正温度、逸脱温度などを表示しない。表示装置５００は、温度センサ３００ｄにおける環境情報として、適正温度が１０℃であること、適正温度から−０．４℃逸脱していること、計測した温度が適正温度から中程度逸脱しているためオレンジ色でマイナスを表す下方向の矢印を表示する。なお、適正温度は、温度センサ３００ａ〜３００ｄ毎にユーザが任意に設定することができる。そのため、ユーザは、農作物ごとの成長に適した適正温度を設定する。なお、矢印の赤色、オレンジ色などを表示する際の適正温度からの逸脱温度の閾値は、ユーザが任意に変更可能とする。
【００３２】
温度センサ３００が計測した温度を一定期間分合計した温度である積算温度は、バーグラフで表される。バーグラフの中央には点線が表示されており、積算温度の平均値（適正温度）を表示している。積算温度が適正温度よりも大きく逸脱している場合バーは赤色で表示され、中程度逸脱している場合バーはオレンジ色で表示され、適正範囲内にある場合バーは緑色で表示される。図６の例において表示装置５００は、温度センサ３００ａにおける環境情報として、積算温度が適正温度よりも大きくなっているため、バーを平均値が示す点線よりも高い箇所まで表示し、且つ、赤色で表示する。表示装置５００は、温度センサ３００ｂにおける環境情報として、積算温度が適正温度よりも中程度大きくなっているため、バーを平均値が示す点線よりも中程度高い箇所まで表示し、且つ、オレンジ色で表示する。表示装置５００は、温度センサ３００ｃにおける環境情報として、積算温度が適正温度の範囲内にあるため、バーを平均値が示す点線部分の高さまで表示し、且つ、緑色で表示する。表示装置５００は、温度センサ３００ｄにおける環境情報として、積算温度が適正温度よりも中程度小さくなっているため、バーを平均値が示す点線よりも中程度低い箇所まで表示し、且つ、緑色で表示する。なお、適正温度は、温度センサ３００ａ〜３００ｄ毎にユーザが任意に設定することができる。そのため、ユーザは、農作物毎の成長に適した適正温度を設定する。なお、バーの赤色、オレンジ色、緑色などを表示する際の適正温度からの逸脱温度の閾値は、ユーザが任意に変更可能とする。
【００３３】
図６の温度ムラ、温度の適正範囲、積算温度は、ある時刻における環境情報の例である。ユーザが画面下部にある△のスタートボタンを押すと、表示装置５００は、２４時間での環境情報の変化を表示する。又、△のスタートボタンの横にある横バー内の丸をドラッグすることで、ユーザは、気になる時刻の環境情報を確認することができる。
【００３４】
図６のように表示装置が環境情報を表示することで、経営者や管理者は、ビニールハウス２００内に設置されている機器などの稼動がどのように農作物周辺の温度変化に影響を与えているかを分単位の変化で確認することができる。そのため、経営者や管理者は、環境情報を確認し、農作物の成長点周辺の温度が成長に適した温度になるように（温度ムラが少なくなるように）、ビニールハウス２００内の温度を調整することができるようになる。経営者や管理者は、農作物の成長点周辺の温度が成長に適した温度になるようにビニールハウス２００内の温度を調整することで、収量を最大化することができる。
【００３５】
図７は、同じビニールハウス内の複数の温度センサ３００が計測した温度の温度ムラを見える化した表示の例（その１）である。図７の例では、ビニールハウス内に温度センサ３００が９個ある場合の例である。表示例７００では、９個の温度センサ３００が計測した７２時間分の温度の平均温度を表示している。なお、平均温度を出す場合、２４時間、７２時間など平均温度を出す際の時間は変更可能である。表示例７００の横軸の中央線には、全ての温度センサ３００の７２時間分の平均温度における平均値が設定される。表示装置５００は、各温度センサ３００の７２時間の平均温度が平均値よりも高温である場合中央線よりも右側に逸脱温度分を示すバーを表示し、平均温度が平均値よりも低温である場合中央線よりも左側に逸脱温度分を示すバーを表示する。
【００３６】
ユーザは、平均値からの逸脱温度に応じてバーの色を設定できる。例えば表示例７００において、ユーザは、平均値よりも１０℃以上温度が高い「高温」の場合に赤色のバーを表示するように設定している。又、表示例７００では、平均値よりも１０℃以上温度が低い「低温」の場合に赤色のバーを表示するように設定されている。ユーザは、平均値よりも５℃〜１０℃温度が高い「中高温」の場合にオレンジ色のバーを表示するように設定している。平均値よりも５℃〜１０℃温度が低い「中低温」の場合にオレンジ色のバーを表示するように設定されている。平均値よりも０℃〜５℃温度が低い場合及び高い「適正温度」の場合に緑色のバーを表示するように設定されている。
【００３７】
表示装置５００は、温度１に対応する温度センサ３００で計測された温度の７２時間での平均温度が、温度ムラの平均値よりも１０℃以上高いため、赤色のバー７１０ａを中央線よりも右側に表示する。表示装置５００は、温度２に対応する温度センサ３００で計測された温度の７２時間での平均温度が、温度ムラの平均値よりも５℃〜１０℃程度高いため、オレンジ色のバー７１０ｂを中央線よりも右側に表示する。表示装置５００は、温度３〜温度７に対応する温度センサ３００で計測された温度の７２時間での平均温度が、温度ムラの平均値から０℃〜５℃程度しか変化がない適正温度であるため、緑色のバー７１０ｃ〜７１０ｇを中央線付近に表示する。表示装置５００は、温度８に対応する温度センサ３００で計測された温度の７２時間での平均温度が、温度ムラの平均値よりも５℃〜１０℃程度低いため、オレンジ色のバー７１０ｈを中央線よりも左側に表示する。表示装置５００は、温度９に対応する温度センサ３００で計測された温度の７２時間での平均温度が、温度ムラの平均値よりも１０℃以上低いため、赤色のバー７１０ｉを中央線よりも左側に表示する。
【００３８】
図８は、同じビニールハウス内の複数の温度センサ３００が計測した温度の温度ムラを見える化した表示の例（その２）である。図８の表示例７５０は、図７と同じ９個の温度センサ３００が計測した温度情報の７２時間分の詳細な例である。表示例７５０における横軸は、時間軸を表している。表示例７５０では、温度センサ３００の計測した温度が平均値よりも５℃以上逸脱している場合にその情報を色で表している。
【００３９】
ユーザは、平均値からの逸脱温度に応じて表示する色を設定できる。例えば表示例７５０において、ユーザは、平均値よりも１０℃以上温度が高い「高温」の場合に赤色で表示するように設定している。又、表示例７５０では、平均値よりも１０℃以上温度が低い「低温」の場合に赤色で表示するように設定されている。ユーザは、平均値よりも５℃〜１０℃温度が高い「中高温」の場合にオレンジ色で表示するように設定している。平均値よりも５℃〜１０℃温度が低い「中低温」の場合にオレンジ色で表示するように設定されている。
【００４０】
ユーザは、時間軸に対応した温度ムラを確認することで、どの時間帯に温度ムラがあるのかを判断することができるようになる。
図９は、同じビニールハウス内の複数の温度センサ３００が計測した温度が適正温度の範囲内であるか否かを見える化した表示の例（その１）である。図９の表示例８００は、図７と同じ９個の温度センサ３００が計測した温度情報における７２時間分の平均温度の例である。なお、平均温度を出す場合、２４時間、７２時間など平均温度を出す際の時間は変更可能である。表示例８００の横軸は、平均温度を表している。
【００４１】
ユーザは、平均温度が適正温度範囲内にあるか否かに応じてバーの色を設定できる。併せて、適正温度もユーザが変更可能である。例えば、表示例８００において、ユーザは、上限２５℃を超えた場合及び下限７℃を下回った場合に警報を示す赤色のバーを表示するように設定している。ユーザは、又、上限２２℃を超えて２５℃よりも低い場合及び下限１０℃を下回り７℃よりも高い場合に注意を示すオレンジ色のバーを表示するように設定している。すると、適正温度は、７℃〜２２℃の間として設定される。
【００４２】
表示装置５００は、温度１及び温度２に対応する温度センサ３００で計測された温度の７２時間での平均温度が、２５℃よりも高いため、警報を示す赤色のバー８１０ａ、８１０ｂを表示する。表示装置５００は、温度３及び温度４に対応する温度センサ３００で計測された温度の７２時間での平均温度が、２２℃〜２５℃の間であるため、注意を示すオレンジ色のバー８１０ｃ、８１０ｄを表示する。表示装置５００は、温度５〜温度７に対応する温度センサ３００で計測された温度の７２時間での平均温度が、１０℃〜２２℃の間であるため、問題がない旨を表す緑色のバー８１０ｅ〜８１０ｇを表示する。表示装置５００は、温度８に対応する温度センサ３００で計測された温度の７２時間での平均温度が、７℃〜１０℃の間であるため、注意を示すオレンジ色のバー８１０ｈを表示する。表示装置５００は、温度９に対応する温度センサ３００で計測された温度の７２時間での平均温度が、７℃よりも低いため、警報を示す赤色のバー８１０iを表示する。
【００４３】
図１０は、同じビニールハウス内の複数の温度センサ３００が計測した温度が適正温度の範囲内であるか否かを見える化した表示の例（その２）である。図１０の表示例８５０は、図７と同じ９個の温度センサ３００が計測した温度情報の７２時間分の詳細な例である。表示例８５０における横軸は、時間軸を表している。表示例８５０では、温度センサ３００の計測した温度が適正温度範囲から逸脱している場合にその情報を色で表している。
【００４４】
ユーザは、平均温度が適正温度範囲内にあるか否かに応じて表示する色を設定できる。例えば表示例８５０において、ユーザは、平均温度が２５℃よりも高い場合と平均温度が７℃よりも低い場合に赤色で表示するように設定している。又、表示例８５０では、ユーザは、平均温度が２２℃〜２５℃の間である場合と７℃〜１０℃の間である場合にオレンジ色で表示するように設定している。
【００４５】
ユーザは、平均温度が適正温度の範囲からどの時間帯に逸脱するのかを判断することができるようになる。
図１１は、同じビニールハウス内の複数の温度センサ３００が計測した温度の積算温度の表示例を説明する図である。図１１の表示例９００は、図７と同じ９個の温度センサ３００が計測した温度情報における積算温度の例である。表示例９００の横軸は、蓄積された温度を合計した積算温度を表している。
【００４６】
ユーザは、積算温度に応じてバーの色を設定できる。併せて、積算温度の適正温度もユーザが変更可能である。例えば、表示例９００において、ユーザは、積算温度が積算温度の平均値から±２０℃以上逸脱している場合に警報を表す赤色のバーを表示するように設定している。ユーザは、又、積算温度が積算温度の平均値から±１０℃〜２０℃の間逸脱している場合に注意を表すオレンジ色のバーを表示するように設定している。積算温度が適正範囲の場合は、緑色のバーが表示される。
【００４７】
表示装置５００は、温度１に対応する温度センサ３００で計測された温度の積算温度が、平均値よりも２０℃以上高いため、警報を示す赤色のバー９１０ａを表示する。表示装置５００は、温度２〜温度４、温度６〜温度７に対応する温度センサ３００で計測された温度の積算温度が、平均値から０℃〜１０℃の間であるため、問題がない旨を表す緑色のバー９１０ｂ、９１０ｃ、９１０ｄ、９１０ｆ、９１０ｇを表示する。表示装置５００は、温度５に対応する温度センサ３００で計測された温度の積算温度が、平均値から−１０℃〜−２０℃の間であるため、注意を示すオレンジ色のバー９１０ｅを表示する。表示装置５００は、温度８及び温度９に対応する温度センサ３００で計測された温度の積算温度が、平均値から２０℃以上低いため、警報を示す赤色のバー９１０h、９１０iを表示する。
【００４８】
表示装置５００は、環境情報として、同じビニールハウス２００内の複数の温度センサ３００における差分が明確に見える化した情報（図７〜図１１）と経営者や管理者などに改善案を出しやすい情報を見える化した情報（図６）とを表示する。経営者や管理者は、環境情報を確認し、農作物の成長点周辺の温度が成長に適した温度になるように、ビニールハウス２００内の温度を調整することができるようになる。そのため、本実施形態に係る成長点温度監視システム４００を導入することにより、圃場内の環境管理を容易にし、収量を最大化することができる。
【００４９】
図１２は、本実施形態に係る情報処理装置の処理の例を説明するフローチャートである。ユーザは、各区画の収量が均一でない場合に、表示装置５００を利用し、圃場の環境情報を確認する。情報処理装置６００の生成部６３０は、記憶部６２０に記憶された農作物の成長点周辺で計測された温度情報に基づいて、表示装置５００に表示するための環境情報を生成する（ステップＳ１０１）。表示制御部６４０は、環境情報（図６〜図１１）を表示装置５００に表示させる（ステップＳ１０２）。
【００５０】
経営者や管理者は、環境情報を確認し、農作物の成長点周辺の温度が成長に適した温度になるように、ビニールハウス２００内の温度を調整することができるようになる。そのため、本実施形態に係る成長点温度監視システムを導入することにより、圃場内の環境管理を容易にし、収量を最大化することができる。
【符号の説明】
【００５１】
２００  ビニールハウス
２１０ａ〜２１０ｄ  農作物
２２０ａ〜２２０ｄ  成長点
３００ａ〜３００ｄ  温度センサ
３１０ａ〜３１０ｄ  紐
４００  成長点温度監視システム
５００  表示装置
６００  情報処理装置
６１０  受信部
６２０  記憶部
６３０  生成部
６４０  表示制御部
【図１】
2019149965.tif 000003
【図２】
2019149965.tif 000004
【図３】
2019149965.tif 000005
【図４】
2019149965.tif 000006
【図５】
2019149965.tif 000007
【図６】
2019149965.tif 000008
【図７】
2019149965.tif 000009
【図８】
2019149965.tif 000010
【図９】
2019149965.tif 000011
【図１０】
2019149965.tif 000012
【図１１】
2019149965.tif 000013
【図１２】
2019149965.tif 000014